(57)【要約】【課題】本発明は、ヒートポンプ給湯機の運転開始時の課題である中温の湯を冷却して貯湯槽に戻し、貯湯運転時のより優れた特性を導くものである。【解決手段】第２の減圧装置７、第２の冷媒対水熱交換器８を有すバイパス回路１７と、貯湯槽５下部、第１の循環ポンプ６、第１の冷媒対水熱交換器２、三方弁９、貯湯槽５上部を接続した給湯回路１８と、三方弁９と第２の冷媒対水熱交換器８と貯湯槽５下部を接続し低温水回路１９を構成したヒートポンプ給湯機。【選択図】図１
2005164087.tif 000002
【特許請求の範囲】
【請求項１】
圧縮機、第１の冷媒対水熱交換器、冷媒の流量を制御する第１の減圧装置、蒸発器を順次接続した冷媒循環回路と、前記第１の冷媒対水熱交換器と前記第１の減圧装置との間から分岐し、第２の減圧装置、第２の冷媒対水熱交換器を順次接続し、前記第１の減圧装置と前記蒸発器との間に接続するバイパス回路により冷凍サイクルを構成し、貯湯槽の下部、第１の循環ポンプ、前記第１の冷媒対水熱交換器、三方弁を順次接続し、前記貯湯槽の上部に接続した給湯回路と、前記三方弁と前記第２の冷媒対水熱交換器と前記貯湯槽の下部に接続した低温水回路により水回路を構成し、前記第１の冷媒対水熱交換器の出口水温を検出する給湯温度検出手段と、予め設定した給湯温度設定値と前記給湯温度検出手段で検出された給湯温度とを比較する比較手段と、前記比較手段の信号により前記三方弁、前記第１の減圧装置、前記第２の減圧装置を動作させる出力手段により構成される制御手段を備えたヒートポンプ給湯機。
【請求項２】
圧縮機、第１の冷媒対水熱交換器、冷媒の流量を制御する第１の減圧装置、蒸発器を順次接続した冷媒循環回路と、前記第１の冷媒対水熱交換器と前記第１の減圧装置との間から分岐し、第２の減圧装置、第２の冷媒対水熱交換器を順次接続し、前記第１の減圧装置と前記蒸発器との間に接続するバイパス回路により冷凍サイクルを構成し、貯湯槽の下部、第１の循環ポンプ、第２の冷媒対水熱交換器、前記第１の冷媒対水熱交換器、三方弁を順次接続し、前記貯湯槽の上部に接続した給湯回路と、前記三方弁と前記貯湯槽の下部を接続した低温水回路により水回路を構成し、前記圧縮機の吐出冷媒温度を検出する吐出温度検出手段と、給湯設定温度と相関を持つ予め設定した吐出温度設定値を記憶している記憶手段と前記吐出温度検出手段で検出された吐出温度と吐出温度設定値を比較する比較手段と、前記比較手段の信号により前記三方弁、前記第１の減圧装置、前記第２の減圧装置を動作させる出力手段により構成される制御手段を備えたヒートポンプ給湯機。
【請求項３】
圧縮機、第１の冷媒対水熱交換器、冷媒の流量を制御する第１の減圧装置、蒸発器を順次接続した冷媒循環回路と、前記第１の冷媒対水熱交換器と前記第１の減圧装置との間から分岐し、第２の減圧装置、第２の冷媒対水熱交換器を順次接続し、前記第１の減圧装置と前記蒸発器との間に接続するバイパス回路により冷凍サイクルを構成し、貯湯槽の下部、第１の循環ポンプ、前記第１の冷媒対水熱交換器を順次接続し前記貯湯槽の上部に接続した給湯回路と、前記貯湯槽の上部、水対水熱交換器、第２の循環ポンプ、前記第２の冷媒対水熱交換器、前記貯湯槽の下部を順次接続した温水循環回路と、前記水対水熱交換器、放熱器、第３の循環ポンプを順次接続した熱利用回路により水回路を構成し、前記第２の冷媒対水熱交換器の入口水温を検出する循環水温度検出手段と、予め設定した循環水温度設定値と前記循環水温度検出手段で検出された循環水温度とを比較する比較手段と、前記比較手段の信号により前記第１の減圧装置、前記第２の減圧装置を動作させる出力手段により構成される制御手段を備えたヒートポンプ給湯機。
【請求項４】
圧縮機、第１の冷媒対水熱交換器、冷媒の流量を制御する第１の減圧装置、蒸発器を順次接続した冷媒循環回路と、前記第１の冷媒対水熱交換器と前記第１の減圧装置との間から分岐し、第２の減圧装置、第２の冷媒対水熱交換器を順次接続し、前記第１の減圧装置と前記蒸発器との間に接続するバイパス回路により冷凍サイクルを構成し、貯湯槽の下部、第１の循環ポンプ、前記第１の冷媒対水熱交換器、三方弁を順次接続し、前記貯湯槽の上部に接続した給湯回路と、前記三方弁と前記第２の冷媒対水熱交換器と前記貯湯槽の下部を接続した低温水回路と、前記貯湯槽の上部、水対水熱交換器、第２の循環ポンプ、前記第２の冷媒対水熱交換器を順次接続し、前記三方弁と前記第２の冷媒対水熱交換器の間に接続した温水循環回路と、前記水対水熱交換器、放熱器、第３の循環ポンプを順次接続した熱利用回路によりにより水回路を構成し、前記第１の冷媒対水熱交換器の出口水温を検出する給湯温度検出手段と、予め設定した給湯温度設定値と前記給湯温度検出手段で検出
された給湯温度とを比較する第１の比較手段と、前記第２の冷媒対水熱交換器の入口水温を検出する循環水温度検出手段と、予め設定した循環水温度設定値と前記循環水温度検出手段で検出された循環水温度とを比較する第２の比較手段と、前記第１比較手段および第２の比較手段の信号により前記三方弁、前記第１の減圧装置、前記第２の減圧装置を動作させる出力手段により構成される制御手段を備えたヒートポンプ給湯機。
【請求項５】
冷凍サイクルに冷媒が滞留するレシーバを用いないことを特徴とする請求項１から４に記載のヒートポンプ給湯機。
【請求項６】
作動流体として二酸化炭素を使用することを特徴とする請求項５に記載のヒートポンプ給湯機。
【発明の詳細な説明】
【技術分野】
【０００１】
本発明は貯湯式のヒートポンプ給湯機に関するものである。
【背景技術】
【０００２】
従来のこの種のヒートポンプ給湯機は次に示すようなものがある（例えば特許文献１参照）。図５は特許文献１に記載された従来のヒートポンプ給湯機の構成図である。
【０００３】
図５において、圧縮機１０１、冷媒対水熱交換器１０２、減圧装置１０３、蒸発器１０４からなる冷媒循環回路と、貯湯槽１０５、循環ポンプ１０６、冷媒対水熱交換器１０２を接続した給湯回路からなり圧縮機１０１より吐出された高温高圧の過熱ガス冷媒は冷媒対水熱交換器１０２に流入し、ここで循環ポンプ１０６から送られてきた水を加熱する。
【０００４】
そして、この水と熱交換した冷媒は減圧装置１０３で減圧され、蒸発器１０４に流入し、ここで大気熱を吸熱して蒸発ガス化し、圧縮機１０１に戻る。
【０００５】
一方、冷媒対水熱交換器１０２で加熱された湯は貯湯槽１０５の上部に流入し、上から次第に貯湯されていく。
【０００６】
そして、冷媒対水熱交換器１０２の入口水温が設定値に達すると給水温度検出手段１０８が検知し、圧縮機１０１によるヒートポンプ運転を停止するものである。
【特許文献１】特開昭６０−１６４１５７号公報
【発明の開示】
【発明が解決しようとする課題】
【０００７】
しかしながら、前記図５に示す従来例のヒートポンプ給湯機では、特に冬季の運転開始時には、圧縮機１０１の温度上昇が遅く、冷媒対水熱交換器１０２出口の湯は低温のまま貯湯槽１０５の上部に流入し貯湯される。それ故、貯湯槽１０５中の高温の湯と混合し、貯湯槽１０５の湯温を低下させてしまい、時としては、湯切れを起こすという課題があった。
【０００８】
また、圧縮機１０１の温度が上昇した後の定常運転時にも、冷凍サイクルに冷媒が滞留するレシーバを用いない場合、貯湯槽１０５から中温の水が冷媒対水熱交換器１０２供給されると、冷媒から水への放熱が阻害され、冷媒の過冷却度を大きく取ることができず、圧縮機１０１の吐出冷媒圧力が上昇し、エネルギー効率が悪くなるという課題を有していた。
【０００９】
本発明は上記の課題を解決するもので、圧縮機の吐出冷媒圧力の上昇を防ぎ、エネルギー効率の良い運転を実現するヒートポンプ給湯機を提供することを目的とする。
【課題を解決するための手段】
【００１０】
前記従来の課題を解決するために、本発明のヒートポンプ給湯機は、第２の減圧装置、第２の冷媒対水熱交換器を順次接続し、第１の減圧装置のバイパス回路を接続することにより、給湯温度が設定値まで高くなっていない場合、第１の減圧装置、第２の減圧装置、三方弁を動作させ、第１の冷媒対水熱交換器で加熱された温水を第２の冷媒対水熱交換器に流し、低温の冷媒に熱を回収し、低い水温で貯湯槽下部に水を返すことができるので、貯湯槽上部の高温の湯と混合し、貯湯槽の湯温を低下させることがなく、さらに給湯運転の時に常に第１の冷媒対水熱交換器に低温の水が供給されるため、冷媒から水への放熱が
促進され、圧縮機の吐出冷媒圧力の上昇を防ぎ、エネルギー効率の良い運転を実現できる。
【発明の効果】
【００１１】
以上のように、請求項１〜５に記載の発明によれば、中温の湯が貯湯槽上部の高温の湯と混合し、貯湯槽の湯温を低下させることがなく、さらに貯湯槽の湯を利用して暖房などを行なう場合でも中温の湯が貯湯槽下部に流入することを防ぎ、給湯運転の時に常に第１の冷媒対水熱交換器に低温の水が供給され、冷媒の放熱時のエンタルピ差を大きく取ることができるため、圧縮機の吐出冷媒圧力の上昇を防ぎ、エネルギー効率の良い運転を実現できる。
【発明を実施するための最良の形態】
【００１２】
本発明の第１の実施の形態におけるヒートポンプ給湯機は、圧縮機、第１の冷媒対水熱交換器、冷媒の流量を制御する第１の減圧装置、蒸発器を順次接続した冷媒循環回路と、前記第１の冷媒対水熱交換器と前記第１の減圧装置との間から分岐し、第２の減圧装置、第２の冷媒対水熱交換器を順次接続し、前記第１の減圧装置と前記蒸発器との間に接続するバイパス回路により冷凍サイクルを構成し、貯湯槽の下部、第１の循環ポンプ、前記第１の冷媒対水熱交換器、三方弁を順次接続し、前記貯湯槽の上部に接続した給湯回路と、前記三方弁と前記第２の冷媒対水熱交換器と前記貯湯槽の下部に接続した低温水回路により水回路を構成し、前記第１の冷媒対水熱交換器の出口水温を検出する給湯温度検出手段と、予め設定した給湯温度設定値と前記給湯温度検出手段で検出された給湯温度とを比較する比較手段と、前記比較手段の信号により前記三方弁、前記第１の減圧装置、前記第２の減圧装置を動作させる出力手段により構成される制御手段を具備することにより、運転開始時などの給湯温度が設定値より低い場合、第１の減圧装置、第２の減圧装置、三方弁を動作させ、第１の冷媒対水熱交換器で加熱された温水を第２の冷媒対水熱交換器に流し、低温の冷媒に熱を回収し、低い水温で貯湯槽下部に水を返すことができるので、給湯運転時に常に第１の冷媒対水熱交換器に低温の水が供給されるため、圧縮機の吐出冷媒圧力の上昇を防ぎ、エネルギー効率の良い運転を行なうことができる。
【００１３】
本発明の第２の実施の形態におけるヒートポンプ給湯機は、貯湯槽の下部、第１の循環ポンプ、第２の冷媒対水熱交換器、第１の冷媒対水熱交換器、三方弁、貯湯槽の上部に順次接続し給湯回路を構成し、三方弁と貯湯槽の下部を接続した低温水回路により水回路を構成している。また、圧縮機の吐出冷媒温度を検出する吐出温度センサーを具備することにより、低温の湯が貯湯槽上部の高温の湯と混合し、貯湯槽の湯温を低下させることがなく、また、第２の冷媒対水熱交換器で低圧の冷媒に熱を回収するため、空気からの吸熱と合わせて冷凍サイクルへの吸熱量が増加し、吐出圧力や吐出温度の上昇を早めることができるため、高温の給湯を短時間で開始することができる。さらに給湯運転の時に常に第１の冷媒対水熱交換器に低温の水が供給され、エネルギー効率の良い運転を行なうことができる。
【００１４】
本発明の第３の実施の形態におけるヒートポンプ給湯機は、貯湯槽の下部、第１の循環ポンプ、第１の冷媒対水熱交換器を順次接続し貯湯槽の上部に接続した給湯回路と、貯湯槽の上部、水対水熱交換器、第２の循環ポンプ、第２の冷媒対水熱交換器、貯湯槽の下部を順次接続した温水循環回路と、貯湯槽の上部、水対水熱交換器、放熱器、第３の循環ポンプを順次接続した熱利用回路により水回路を構成し、第２の冷媒対水熱交換器の入口水温を検出する循環水温度センサーを具備することにより、暖房運転時に中温の湯が貯湯槽下部に流入することを防ぎ、給湯運転の時に常に第１の冷媒対水熱交換器に低温の水が供給され、冷媒から水への放熱が促進され、圧縮機の吐出冷媒圧力の上昇を防ぎ、エネルギー効率の良い運転を行なうことができる。
【００１５】
本発明の第４の実施の形態におけるヒートポンプ給湯機は、貯湯槽の下部、第１の循環ポンプ、第１の冷媒対水熱交換器、三方弁を順次接続し、貯湯槽の上部に接続した給湯回路と、三方弁と第２の冷媒対水熱交換器と貯湯槽の下部を接続した低温水回路と、貯湯槽の上部、水対水熱交換器、第２の循環ポンプ、第２の冷媒対水熱交換器を順次接続し、三方弁と第２の冷媒対水熱交換器の間に接続した温水循環回路と、水対水熱交換器、放熱器、第３の循環ポンプを順次接続した熱利用回路により水回路を構成し、第１の冷媒対水熱交換器の出口水温を検出する給湯温度センサーと、循環水温度センサーを具備することにより、給湯運転の時に常に第１の冷媒対水熱交換器に低温の水が供給され、暖房運転時に中温の湯が貯湯槽下部に流入することを防ぎ、給湯運転の時に常に第１の冷媒対水熱交換器に低温の水が供給され、冷媒から水への放熱が促進されるため、圧縮機の吐出冷媒圧力の上昇を防ぎ、エネルギー効率の良い運転を行なうことができる。
【００１６】
本発明の第５の実施の形態におけるヒートポンプ給湯機は、冷凍サイクルに冷媒が滞留するレシーバを用いない場合でも、給湯運転の時に常に第１の冷媒対水熱交換器に低温の水が供給され、冷媒から水への放熱が促進されるため、圧縮機の吐出冷媒圧力の上昇を防ぎ、エネルギー効率の良い運転を行なうことができる。
【００１７】
本発明の第６の実施の形態におけるヒートポンプ給湯機は、冷媒として二酸化炭素を使用することにより、給湯運転の時に高効率で高温の給湯が可能となり、常に第１の冷媒対水熱交換器に低温の水が供給され、冷媒の放熱時のエンタルピ差を大きく取ることができるため、圧縮機の吐出冷媒圧力の上昇を防ぎ、エネルギー効率の良い運転を行なうことができる。
【実施例】
【００１８】
以下、本発明の実施例について図面を用いて説明する。
【００１９】
（実施例１）
図１は本発明の実施例１のヒートポンプ給湯機の構成図である。
【００２０】
図１において、圧縮機１、第１の冷媒対水熱交換器２、冷媒の流量を制御する第１の減圧装置３、蒸発器４を順次接続した冷媒循環回路と、第１の冷媒対水熱交換器２と第１の減圧装置３との間から分岐し、第２の減圧装置７、第２の冷媒対水熱交換器８を順次接続し、第１の減圧装置３と蒸発器４との間に接続するバイパス回路１７により冷凍サイクルを構成し、冷媒を貯溜するレシーバは用いていない。１０は蒸発器４に空気を送る送風機である。冷媒は二酸化炭素を使用している。
【００２１】
また、給湯回路１８は貯湯槽５の下部、第１の循環ポンプ６、第１の冷媒対水熱交換器２、三方弁９を順次接続し、貯湯槽５の上部に接続して構成し、低温水回路１９は三方弁９と第２の冷媒対水熱交換器８と貯湯槽５の下部を接続して構成している。１１はカラン、１２は貯湯槽５への給水を制御する電磁弁である。
【００２２】
さらに、第１の冷媒対水熱交換器２の出口水温を検出する給湯温度センサー２２は給湯温度検出手段で、予め設定した給湯温度設定値を記憶している記憶手段と給湯温度センサー２２で検出された給湯温度とを比較する比較手段と、比較手段の信号により三方弁９、第１の減圧装置３、第２の減圧装置７を動作させる出力手段により制御手段を構成している。
【００２３】
次にヒートポンプ給湯機の動作、作用について説明する。
【００２４】
通常の貯湯運転では、圧縮機１より吐出された高温高圧の過熱ガス冷媒は第１の冷媒対
水熱交換器２に流入し、ここで貯湯槽５から第１の循環ポンプ６により送られてきた水を加熱する。そして、この水と熱交換した冷媒は第１の減圧装置３で減圧され、蒸発器４に流入し、送風機１０で蒸発器４に送られる空気から吸熱して蒸発しガス化して、圧縮機１に戻る。一方、第１の冷媒対水熱交換器２で加熱された湯は貯湯槽５の上部に流入し、上から次第に貯湯されていく。
【００２５】
運転開始時には、圧縮機１の温度上昇が遅く、第１の冷媒対水熱交換器２出口水温を検出する給湯温度センサー２２の出力信号と記憶手段の給湯温度設定値とを比較し、第１の冷媒対水熱交換器２出口水温が給湯温度設定値より低い場合、記憶手段に記憶している出力モードを選択し、第１の減圧装置３が閉じられ、第２の減圧装置７が開かれバイパス回路１７に冷媒は流入する。冷媒は第２の減圧装置７で減圧され低圧低温となり第２の冷媒対水熱交換器８、蒸発器４を通り圧縮機１に戻る。
【００２６】
また、給湯回路１８の三方弁９は低温水回路１９に通じ、第１の冷媒対水熱交換器２で加熱された温水は第２の冷媒対水熱交換器８で低圧低温の冷媒と熱交換し、冷却されるため低温となり貯湯槽５の下部に戻る。
【００２７】
そのため、低温の湯が貯湯槽５上部の高温の湯と混合し、貯湯槽５の湯温を低下させることがなく、さらに給湯運転の時に常に第１の冷媒対水熱交換器２に低温の水が供給されるため、冷媒から水への放熱が促進される。
【００２８】
また、冷媒として二酸化炭素を使用し、冷凍サイクル中に冷媒を貯溜するレシーバを持たない場合、第１の冷媒対水熱交換器２に低温の水が供給され、第１の冷媒対水熱交換器２に密度の高い超臨界状態の高圧冷媒が流れるため、圧縮機１の吐出冷媒圧力の上昇を防ぎ、エネルギー効率の良い運転を行なうことができる。
【００２９】
（実施例２）
図２は本発明の実施例２のヒートポンプ給湯機の構成図である。
【００３０】
本実施例において、実施例１と異なる点は、貯湯槽５の下部、第１の循環ポンプ６、第２の冷媒対水熱交換器８、第１の冷媒対水熱交換器２、三方弁９、貯湯槽５の上部に順次接続し給湯回路１８を構成し、三方弁９と貯湯槽５の下部を接続した低温水回路１９により水回路を構成している。
【００３１】
また、圧縮機１の吐出冷媒温度を検出する吐出温度センサー２３は吐出温度検出手段で、給湯温度と相関を持つ予め設定した吐出温度設定値を記憶している記憶手段と吐出温度センサー２３で検出された吐出温度とを比較する比較手段と、比較手段の信号により三方弁９、第１の減圧装置３、第２の減圧装置７を動作させる出力手段により制御手段を構成していることである。
【００３２】
なお、実施例１と同符号の部分は同一構成を有し、説明は省略する。
【００３３】
次にヒートポンプ給湯機の動作、作用について説明する。
【００３４】
運転開始時には、圧縮機１の吐出温度を検出すると吐出温度センサー２３の出力信号と記憶手段の吐出温度設定値とを比較し、圧縮機１の吐出冷媒温度が吐出温度設定値より低い場合、記憶手段に記憶しているの出力モードを選択し、第１の減圧装置３が閉じられ、第２の減圧装置７が開かれバイパス回路１７に冷媒は流入する。
【００３５】
冷媒は第２の減圧装置７で減圧され低圧低温となり第２の冷媒対水熱交換器８、蒸発器
４を通り圧縮機１に戻る。
【００３６】
また、貯湯槽５の水は第１の循環ポンプ６により第２の冷媒対水熱交換器８に流入し、低圧低温の冷媒と熱交換し冷却されるため低温となり、第１の冷媒対水熱交換器２で加熱されるが、吐出温度が吐出温度設定値より低い場合は温水の温度もあまり高くならず、給湯回路１８の三方弁９は低温水回路１９に通じているため、貯湯槽５の下部に戻る。
【００３７】
そのため、低温の湯が貯湯槽５上部の高温の湯と混合し、貯湯槽５の湯温を低下させることがなく、また、第２の冷媒対水熱交換器８で低圧の冷媒に熱を回収するため、空気からの吸熱と合わせて冷凍サイクルへの吸熱量が増加し、吐出圧力や吐出温度の上昇を早めることができるため、高温の給湯を短時間で開始することができる。
【００３８】
さらに給湯運転の時に常に第１の冷媒対水熱交換器２に低温の水が供給され、冷媒の放熱時のエンタルピ差を大きく取ることができるため、冷媒から水への放熱が促進され、圧縮機１の吐出冷媒圧力の上昇を防ぎ、エネルギー効率の良い運転を行なうことができる。
【００３９】
（実施例３）
図３は本発明の実施例３のヒートポンプ給湯機の構成図である。
【００４０】
本実施例において、実施例２と異なる点は、貯湯槽５の下部、第１の循環ポンプ６、第１の冷媒対水熱交換器２を順次接続し貯湯槽５の上部に接続した給湯回路１８と、貯湯槽５の上部、水対水熱交換器１３、第２の循環ポンプ１４、第２の冷媒対水熱交換器８、貯湯槽５の下部を順次接続した温水循環回路２０と、貯湯槽５の上部、水対水熱交換器１３、放熱器１５、第３の循環ポンプ１６を順次接続した熱利用回路２１により水回路を構成し、第２の冷媒対水熱交換器８の入口水温を検出する循環水温度検出手段である循環水温度センサー２４と、予め設定した循環水温度設定値と循環水温度センサー２４で検出された循環水温度とを比較する比較手段と、比較手段の信号により第１の減圧装置３、第２の減圧装置４を動作させる出力手段により構成される制御手段を備えた構成としていることである。
【００４１】
なお、実施例２と同符号の部分は同一構成を有し、説明は省略する。
【００４２】
次にヒートポンプ給湯機の動作、作用について説明する。
【００４３】
通常の貯等運転では、圧縮機１より吐出された高温高圧の過熱ガス冷媒は第１の冷媒対水熱交換器２に流入し、ここで貯湯槽５から第１の循環ポンプ６により送られてきた水を加熱する。
【００４４】
そして、この水と熱交換した冷媒は第１の減圧装置３で減圧され、蒸発器４に流入し、送風機１０で蒸発器４に送られる空気から吸熱して蒸発しガス化して、圧縮機１に戻る。
【００４５】
一方、第１の冷媒対水熱交換器２で加熱された湯は貯湯槽５の上部に流入し、上から次第に貯湯されていく。
【００４６】
次に貯湯槽５の湯を利用して暖房などを行なう場合、貯湯槽５の上部から高温の湯が第２の循環ポンプ１４により水対水熱交換器１３に供給され、熱利用回路２１の媒体と熱交換して冷却される。そして第２の冷媒対水熱交換器８を通り貯湯槽５の下部に戻る。
【００４７】
熱利用回路２１では水対水熱交換器１３で加熱された媒体が、第３の循環ポンプ１６により放熱器１５に流入し放熱され、水対水熱交換器１３に戻り循環し暖房を行なう。
【００４８】
しかし、床暖房運転等の場合は床の温度を体温に近い温度とするため、水対水熱交換器１３出口の循環水の温度は４０℃以上となる。
【００４９】
この時、第２の冷媒対水熱交換器８の入口水温を検出する循環水温度検出手段である循環水温度センサー２４で検出された循環水温度と、予め設定した循環水温度設定値とを比較し、循環水温度が循環水温度設定値より高い場合、記憶手段に記憶しているの出力モードを選択し、第１の減圧装置３が閉じられ、第２の減圧装置７が開かれバイパス回路１７に冷媒は流入する。
【００５０】
冷媒は第２の減圧装置７で減圧され低圧低温となり第２の冷媒対水熱交換器８、蒸発器４を通り圧縮機１に戻る。従って、第２の冷媒対水熱交換器８に流入する循環水は第２の冷媒対水熱交換器８で低圧低温の冷媒と熱交換し冷却されるため低温となり、貯湯槽５の下部に戻る。
【００５１】
これにより、中温の湯が貯湯槽５下部に流入することを防ぎ、給湯運転の時に常に第１の冷媒対水熱交換器２に低温の水が供給され、冷媒から水への放熱が促進されるため、圧縮機１の吐出冷媒圧力の上昇を防ぎ、エネルギー効率の良い運転を実現できる。
【００５２】
（実施例４）
図４は本発明の実施例４のヒートポンプ給湯機の構成図である。
【００５３】
本実施例において、実施例３と異なる点は、貯湯槽５の下部、第１の循環ポンプ６、第１の冷媒対水熱交換器２、三方弁９を順次接続し、貯湯槽５の上部に接続した給湯回路１８と、三方弁９と第２の冷媒対水熱交換器８と貯湯槽５の下部を接続した低温水回路１９と、貯湯槽５の上部、水対水熱交換器１３、第２の循環ポンプ１４、第２の冷媒対水熱交換器８を順次接続し、三方弁９と第２の冷媒対水熱交換器８の間に接続した温水循環回路２０と、水対水熱交換器１３、放熱器１５、第３の循環ポンプ１６を順次接続した熱利用回路２１によりにより水回路を構成し、第１の冷媒対水熱交換器２の出口水温を検出する給湯温度検出手段である給湯温度センサー２２と、予め設定した給湯温度設定値と給湯温度センサー２２で検出された給湯温度とを比較する第１の比較手段と、第２の冷媒対水熱交換器８の入口水温を検出する循環水温度検出手段である循環水温度センサー２４と、予め設定した循環水温度設定値と循環水温度センサー２４で検出された循環水温度とを比較する第２の比較手段と、第１比較手段および第２の比較手段の信号により三方弁９、第１の減圧装置３、第２の減圧装置７を動作させる出力手段により構成していることである。
【００５４】
なお、実施例３と同符号の部分は同一構成を有し、説明は省略する。
【００５５】
次にヒートポンプ給湯機の動作、作用について説明する。運転開始時には、圧縮機１の温度上昇が遅く、第１の冷媒対水熱交換器２出口水温を検出する給湯温度センサー２２の出力信号と記憶手段の給湯温度設定値とを比較し、第１の冷媒対水熱交換器２出口水温が給湯温度設定値より低い場合、記憶手段に記憶しているの出力モードを選択し、第１の減圧装置３が閉じられ、第２の減圧装置７が開かれバイパス回路１７に冷媒は流入する。
【００５６】
冷媒は第２の減圧装置７で減圧され低圧低温となり第２の冷媒対水熱交換器８、蒸発器４を通り圧縮機１に戻る。
【００５７】
また、給湯回路１８の三方弁９は低温水回路１９に通じ、第１の冷媒対水熱交換器２をでた温水は第２の冷媒対水熱交換器８で低圧低温の冷媒と熱交換し、冷却されるため低温となり貯湯槽５の下部に戻る。
【００５８】
そのため、中温の湯が貯湯槽５上部の高温の湯と混合し、貯湯槽５の湯温を低下させることがなく、さらに給湯運転の時に常に第１の冷媒対水熱交換器２に低温の水が供給されるため、効率の良い運転と、冷媒圧力の上昇を防ぐことができる。
【００５９】
次に貯湯槽５の湯を利用して暖房などを行なう場合、貯湯槽５の上部から高温の湯が第２の循環ポンプ１４により水対水熱交換器１３に供給され、熱利用回路２１の媒体（水）と熱交換して高温の湯は冷却される。
【００６０】
そして第２の冷媒対水熱交換器８を通り貯湯槽５の下部に戻る。熱利用回路２１では水対水熱交換器１３で加熱された媒体が、第３の循環ポンプ１６により放熱器１５に流入し放熱され、水対水熱交換器１３に戻り、熱利用回路２１を循環し暖房を行なう。
【００６１】
しかし、床暖房運転等の場合は床の温度を体温に近い温度とするため、水対水熱交換器１３出口の循環水の温度は４０℃以上となる。
【００６２】
この時、第２の冷媒対水熱交換器８の入口水温を検出する循環水温度検出手段である循環水温度センサー２４で検出された循環水温度と、予め設定した循環水温度設定値とを比較し、循環水温度が循環水温度設定値より高い場合、記憶手段に記憶しているの出力モードを選択し、第１の減圧装置３は閉じられ、第２の減圧装置７が開かれてバイパス回路１７に冷媒は流入する。
【００６３】
冷媒は第２の減圧装置７で減圧され低圧低温となり第２の冷媒対水熱交換器８、蒸発器４を通り圧縮機１に戻る。従って、第２の冷媒対水熱交換器８に流入する中温の循環水は第２の冷媒対水熱交換器８で低圧低温の冷媒と熱交換し冷却されるため低温となり、貯湯槽５の下部に戻る。
【００６４】
これにより、中温の湯が貯湯槽５下部に流入することを防ぎ、給湯運転の時に常に第１の冷媒対水熱交換器２に低温の水が供給され、冷媒から水への放熱が促進されるため、圧縮機１の吐出冷媒圧力の上昇を防ぎ、エネルギー効率の良い運転を実現できる。
【図面の簡単な説明】
【００６５】
【図１】本発明の実施例１のヒートポンプ給湯機を示す構成図
【図２】本発明の実施例２のヒートポンプ給湯機の構成図
【図３】本発明の実施例３のヒートポンプ給湯機の構成図
【図４】本発明の実施例４のヒートポンプ給湯機の構成図
【図５】従来例におけるヒートポンプ給湯機の構成図
【符号の説明】
【００６６】
１  圧縮機
２  第１の冷媒対水熱交換器
３  第１の減圧装置
４  蒸発器
５  貯湯槽
６  第１の循環ポンプ
７  第２の減圧装置
８  第２の冷媒対水熱交換器
９  三方弁
１０  送風機
１１  カラン
１２  電磁弁
１３  水対水熱交換器
１４  第２の循環ポンプ
１５  放熱器
１６  第３の循環ポンプ
１７  バイパス回路
１８  給湯回路
１９  低温水回路
２０  温水循環回路
２１  熱利用回路
２２  給湯温度センサー
２３  吐出温度センサー
２４  循環水温度センサー
【図１】
2005164087.tif 000003
【図２】
2005164087.tif 000004
【図３】
2005164087.tif 000005
【図４】
2005164087.tif 000006
【図５】
2005164087.tif 000007